(57)【要約】【課題】  現行の配電遠方監視制御システムでは、通信ケーブル方式、ＧＷ／ＴＰＣ方式あるいはＣＴＣ方式と複数種類の配電遠方監視制御方式が混在しているので、一元的に監視制御を行えない問題が生じていた。【解決手段】  １つの操作卓１とシステム管理ユニット２とシステム管理ユニット２に接続される各通信方式に対応する通信管理ユニット３と、通信管理ユニットに連なる各通信方式の遠制群４、５、６とを備え、通信管理ユニット３からの子局動作状態情報を各通信方式の情報条件設定テーブルで変換してシステム管理ユニット２の包括情報管理テーブルの共通するアドレスに収納し、操作卓１のディスプレイに各通信方式の遠制群４、５、６の子局動作状態情報を一括して表示する配電遠方監視制御方式を実現する。【選択図】  図１
2006042540.tif 000002
【特許請求の範囲】
【請求項１】
１つの操作卓と、該操作卓に接続されるシステム管理ユニットと、該システム管理ユニットに接続される各通信方式に対応する通信管理ユニットと、該通信管理ユニットに連なる各通信方式の遠制群とを備え、
各通信方式に対応する前記通信管理ユニットからの子局動作状態情報を各通信方式の情報条件設定テーブルで変換して前記システム管理ユニットの包括情報管理テーブルの共通するアドレスに収納し、前記操作卓のディスプレイに各通信方式の前記遠制群の前記子局動作状態情報を一括して表示することを特徴とする配電遠方監視制御システム。
【請求項２】
前記操作卓のディスプレイには各通信方式の共通する前記子局動作状態情報のみを一覧方式で表示することを特徴とする請求項１に記載の配電遠方監視制御システム。
【請求項３】
前記操作卓のディスプレイには各通信方式が特別に有する前記子局動作状態情報を一覧から選択することによって表示することを特徴とする請求項１に記載の配電遠方監視制御システム。
【請求項４】
各通信方式の前記通信管理ユニットの前記情報設定条件テーブルはワード・ビット法により各通信方式の前記子局動作状態情報の並べ替えることを特徴とする請求項１に記載の配電遠方監視制御システム。
【請求項５】
前記通信管理ユニットには新たな通信方式の通信管理ユニットおよび情報設定条件テーブルを追加することで前記システム管理ユニットの包括情報管理テーブルを介して前記操作卓のディスプレイに新たな通信方式の子局動作状態情報も一括表示できることを特徴とする請求項１に記載の配電遠方監視制御システム。
【発明の詳細な説明】
【技術分野】
【０００１】
本発明は配電遠方監視制御システム、特に複数種類の配電遠方監視制御方式を一括管理できる新遠制親局を実現した配電遠方監視制御システムに関するものである。
【背景技術】
【０００２】
配電遠方監視制御システムは昭和５２年から都市部地域を対象に通信ケーブル方式を導入したことに始まる。その後、都市部地域以外では架空地線利用方式を導入し、更に伝送路の保守性および信頼度向上を図る目的でＴＰＣ方式を導入している。また、配電線路途中での電圧電流計測機能や試充電制御が可能な計測システムの監視制御を可能にするＣＴＣ方式を平成６年度から導入して現在に至っている。従って、４つの方式の配電遠方監視制御システムが混在する形になっている。
【０００３】
各方式を図７を参照して説明する。
【０００４】
通信ケーブル方式は最も古い方式であり、伝送路に通信ケーブルを用い、通信方式は直流順送方式を用いる。すなわち、継続接続された子局に順次直流を送り、子局のリレーを入切して制御を行う。制御機能としては開閉器の入／切／ロック監視制御等を行う極めて簡易な配電遠方監視制御システムである。
【０００５】
架空地線利用（ＧＷ）方式は落雷の予防をする架空地線を伝送路として用い、通信方式はＦＳＫ（周波数変移変調）方式を用い、制御機能としては開閉器の入／切／ロック／再閉路監視制御等を行う配電遠方監視制御システムである。
【０００６】
ＴＰＣ（ツイスト  ペア  ケーブル）方式は通信ケーブルを伝送路として用い、通信方式はＦＳＫ（周波数変移変調）方式を用い、制御機能としては開閉器の入／切／ロック／再閉路監視制御等を行う配電遠方監視制御システムである。上述した架空地線の代わりに専用の通信ケーブルを使用するのが特徴である。
【０００７】
ＣＴＣ方式は最新の方式で、通信ケーブルを伝送路として用い、通信方式はＦＳＫ（周波数変移変調）方式を用い、制御機能としては開閉器の入／切／ロック監視制御の他に計測、遠隔設定等を行う配電遠方監視制御システムである。配電線路途中での電圧電流計測機能や試充電制御が可能な計測システムの監視制御を可能として、今後に想定される監視制御項目の増大および多機能化に適切に対処することができる。
【０００８】
図８を参照して現行の配電遠方監視制御システムを説明する。
【０００９】
営業所には各配電遠方監視制御システムに対応する遠制親局がそれぞれ存在し、この遠制親局からの監視制御は各遠制親局の操作卓からそれぞれの方式の子局を制御して行われている。
【００１０】
通信ケーブル方式の配電遠方監視制御システムでは、通信ケーブル親局３１からの通信ケーブルに多数の子局３２が設けられ、通信ケーブル方式遠制群を作っている。通信ケーブル親局の順送ドライバーから１５０ボルトの直流電圧を送り、子局での直流電圧の有無で開閉器の入／切／ロックを通信ケーブル親局に接続された操作卓で監視制御を行うものである。
【００１１】
架空地線利用（ＧＷ）方式およびＴＰＣ（ツイスト  ペア  ケーブル）方式は伝送路として架空地線を用いるかあるいは専用の通信ケーブルを用いるかだけの差であり、制御機能としては入／切／ロック／再閉路監視制御等と同じ配電遠方監視制御システムである。従って、営業所にはＧＷ／ＴＰＣ親局３３を用いて、親局３３から架空地線あるいは通信ケーブルに設けられた多数の子局３４によりＧＷ／ＴＰＣ方式遠制群を作っている。
【００１２】
ＣＴＣ方式の配電遠方監視制御システムでは、制御機能としては入／切／ロック監視制御、計測、遠隔設定等を行う配電遠方監視制御システムである。従って、ＣＴＣ親局３５を用いて、入／切／ロック／再閉路監視制御等及びその他の計測、遠隔設定等の項目はＣＴＣ親局３５に接続した操作卓を用いて制御する。従って、営業所にはＣＴＣ親局３５を用いて、ＣＴＣ親局３５からの通信線に設けられた多数の子局３６によりＣＴＣ方式遠制群を作っている。
【００１３】
また、通信ケーブル親局３１、ＧＷ／ＴＰＣ親局３３およびＣＴＣ親局３５は配電自動化システム３７に接続され、停電時の変電所からの試充電により自動的に停電から復帰するように動作する。
【特許文献１】特開２００２−１０５３１号公報
【発明の開示】
【発明が解決しようとする課題】
【００１４】
しかし現行の配電遠方監視制御システムでは、通信ケーブル方式、ＧＷ／ＴＰＣ方式あるいはＣＴＣ方式と複数種類の配電遠方監視制御方式が混在しているので、通信ケーブル親局、統合親局あるいはＣＴＣ中継局とそれぞれに接続される操作卓で別個に制御を行うので、一元的に監視制御を行えない問題が生じていた。
【００１５】
このためにこれらの方式を統一するには莫大な投資が必要となり、すぐには統一された配電遠方監視制御システムを実現することも難しい問題である。
【課題を解決するための手段】
【００１６】
本発明は上述した問題に鑑みてなされ、１つの操作卓と、該操作卓に接続されるシステム管理ユニットと、該システム管理ユニットに接続される各通信方式に対応する通信管理ユニットと、該通信管理ユニットに連なる各通信方式の遠制群とを備え、各通信方式に対応する前記通信管理ユニットからの子局動作状態情報を各通信方式の情報条件設定テーブルで変換して前記システム管理ユニットの包括情報管理テーブルの共通するアドレスに収納し、前記操作卓のディスプレイに各通信方式の前記遠制群の前記子局動作状態情報を一括して表示することを特徴とする。本発明により異なる通信方式の子局の子局動作状態情報を一括表示でき、１つの操作卓での一元管理が行える。
【００１７】
また、本発明では、前記操作卓のディスプレイには各通信方式の共通する前記子局動作状態情報のみを表示することを特徴とする。本発明により各通信方式で異なる子局動作状態情報があっても、共通する基本的な開閉器の動作状態のみを表示でき、１つの操作卓での一元管理が行える。
【００１８】
更に、本発明では、前記操作卓のディスプレイには各通信方式が特別に有する前記子局動作状態情報を前記システム管理ユニットの包括情報管理テーブルを切り換えることにより表示することを特徴とする。本発明により操作卓のディスプレイに各通信方式の詳細な子局動作状態情報を表示できる。
【００１９】
更に、本発明では、各通信方式の前記通信管理ユニットの前記情報設定条件テーブルはワード・ビット法により各通信方式の前記子局動作状態情報の並べ替えることを特徴とする。本発明により各通信方式の情報設定条件テーブルで共通する子局動作状態情報をワード・ビット法で同じアドレスのシステム管理ユニットの包括情報管理テーブルに簡単に収納することできる。
【００２０】
更に、本発明では、前記通信管理ユニットには新たな通信方式の通信管理ユニットおよび情報設定条件テーブルを追加することで前記システム管理ユニットの包括情報管理テーブルを介して前記操作卓のディスプレイに新たな通信方式の子局動作状態情報も一括表示できることを特徴とする。本発明により新たな通信方式の通信管理ユニットの追加が容易に行える。
【発明の効果】
【００２１】
本発明によれば、操作卓に接続されるシステム管理ユニットと、システム管理ユニットに接続される各通信方式に対応する通信管理ユニットと、通信管理ユニットに連なる各通信方式の遠制群とを備え、各通信方式に対応する通信管理ユニットからの子局動作状態情報を各通信方式の情報条件設定テーブルで変換してシステム管理ユニットの包括情報管理テーブルの共通するアドレスに収納し、操作卓のディスプレイに各通信方式の遠制群の前記子局動作状態情報を一覧方式で表示することができるので、各通信方式の遠制群を１つの操作卓に表示して遠方制御を行えるようになり、通信方式の異なるすべての遠制群を総括する新遠制親局が実現できた。
【００２２】
また、本発明によれば、各通信方式の遠制群に共通する開閉器の入／切の子局動作状態情報を操作卓のディスプレイに一覧方式で表示でき、営業所全体の遠制群の開閉器の状態を瞬時に判断でき、各通信方式の遠制群を一元監視制御可能となる。
【００２３】
更に、本発明によれば、操作卓のディスプレイには各通信方式が特別に有する子局動作状態情報をシステム管理ユニットの包括情報管理テーブルを切り換えることにより表示することができる。これにより同じ操作卓のディスプレイに各通信方式の詳細な子局動作状態情報も表示可能となる。
【００２４】
更に、本発明によれば、各通信方式の通信管理ユニットの情報設定条件テーブルはワード・ビット法により各通信方式の子局動作状態情報の並べ替えることができるので、各通信方式の情報設定条件テーブルで共通する子局動作状態情報をワード・ビット法で同じアドレスのシステム管理ユニットの包括情報管理テーブルに簡単に収納することできる。
【００２５】
更に、本発明によれば、通信管理ユニットには新たな通信方式の通信管理ユニットおよび情報設定条件テーブルを追加することでシステム管理ユニットの包括情報管理テーブルを介して操作卓のディスプレイに新たな通信方式の子局動作状態情報も一覧方式で表示できるので、新たな通信方式の通信管理ユニットの追加が容易に行える。
【発明を実施するための最良の形態】
【００２６】
本発明による配電遠方監視制御システムを図１を参照して説明する。
【００２７】
本発明の配電遠方監視制御システムは、１つの操作卓１と、システム管理ユニット２と、各通信方式に対応する通信管理ユニット３と、各通信管理ユニット３に連なる各通信方式の遠制群４、５、６とで構成されている。
【００２８】
操作卓１はシステム管理ユニット２と接続され、各通信方式の遠制群４、５、６から通信されてくる子局動作状態情報をそのディスプレイに一覧方式で表示している。
【００２９】
システム管理ユニット２は通信管理ユニット３からの各通信方式の子局動作状態情報を並べ替えて同じアドレスに子局動作状態情報を収納した包括情報管理テーブルを有している。この包括情報管理テーブルに収容された各通信方式の各遠制群の子局動作状態情報が操作卓１のディスプレイに一覧方式で表示される。
【００３０】
通信管理ユニット３は各通信方式の遠制群４、５、６からの子局動作状態情報の通信を行う。
【００３１】
遠制群４、５、６は各通信方式の通信管理ユニット３ａ、３ｂ、３ｃに連なり、具体的には通信ケーブル方式遠制群４、ＧＷ／ＴＰＣ方式遠制群５、ＣＴＣ方式遠制群６を形成している。なお、順送ドライバー１１は通信ケーブル用の通信管理ユニット３ａに特有のものである。
【００３２】
ここで、操作卓１、システム管理ユニット２および通信管理ユニット３は通信方式の異なる各方式の総括を行う新遠制親局１０を形成しており、この新遠制親局１０に通信ケーブル方式遠制群４、ＧＷ／ＴＰＣ方式遠制群５、ＣＴＣ方式遠制群６等の遠制群とこの遠制群の開閉器を制御して停電時の自動復帰を行う配電自動化システム７とが設けられている。
【００３３】
図２および図３を参照して本発明の各通信方式の配電線遠方監視制御システムの具体例を説明する。
【００３４】
図２に示す配電線遠方監視制御システムは通信ケーブル方式である。
【００３５】
営業所には新遠制親局１０がそれぞれ存在し、この新遠制親局１０からの監視制御は新遠制親局１０の操作卓１からシステム管理ユニット２、通信ケーブル方式用の通信管理ユニット３ａおよび順送ドライバー１１を介してそれぞれの子局４ａ、４ｂ、４ｃ、４ｄを制御して行われている。
【００３６】
変電所１２から遮断器を介して接続される配電線１３にほぼ一定の間隔で子局４ａ、４ｂ、４ｃ、４ｄに対応して開閉器（ＤＭ）１４ａ、１４ｂ、１４ｃ、１４ｄが設けられ、各子局の監視および制御によりそれぞれに設けられた開閉器リレー（ＤＭＲ）１５ａ、１５ｂ、１５ｃ、１５ｄを用いて開閉器１４ａ、１４ｂ、１４ｃ、１４ｄの開閉の状態の監視や開閉の制御を行っている。
【００３７】
通信ケーブル方式では各遠制群４は通信信号が直流１５０〜１６０Ｖを継続接続された遠制群に一定時間ごとに順次歩進動作させることで特定の子局の選択を行い、子局動作状態情報を監視し、また制御する。この際に通信ケーブル方式用の通信管理ユニット３ａからは各子局４ａ、４ｂ、４ｃ、４ｄに対応する開閉器１４ａ、１４ｂ、１４ｃ、１４ｄの開閉、遠制ロック／ロック解除の子局動作状態情報がシステム管理ユニット２に伝えられる。
【００３８】
図３に示す配電線遠方監視制御システムはＧＷ／ＴＰＣ方式、ＣＴＣ方式である。
【００３９】
営業所には新遠制親局１０がそれぞれ存在し、この新遠制親局１０からの監視制御は新遠制親局１０の操作卓１からシステム管理ユニット２およびＧＷ／ＴＰＣ方式、ＣＴＣ方式用の通信管理ユニット３ｂ（３ｃ）を介してそれぞれの子局５ａ、５ｂ、５ｃ、５ｄ（６ａ、６ｂ、６ｃ、６ｄ）を制御して行われている。
【００４０】
営業所等に設けられている新遠制親局１０から専用回線モデム１６を介して接続される通信線１７に多数の子局５ａ、５ｂ、５ｃ、５ｄ（６ａ、６ｂ、６ｃ、６ｄ）が設けられ、それぞれＧＷ／ＴＰＣ方式、ＣＴＣ方式の遠制群５、６を作っている。変電所１２からの配電線１３には一定の間隔で子局５ａ、５ｂ、５ｃ、５ｄ（６ａ、６ｂ、６ｃ、６ｄ）に対応して開閉器１８ａ、１８ｂ、１８ｃ、１８ｄが設けられ、各子局の監視および制御によりそれぞれに設けられた開閉器リレー（ＤＭＲ）１９ａ、１９ｂ、１９ｃ、１９ｄを用いて開閉器１８ａ、１８ｂ、１８ｃ、１８ｄの開閉の状態の監視や開閉の制御を行っている。
【００４１】
ＧＷ／ＴＰＣ方式の通信管理ユニット３ｂには、各子局の開閉器１８ａ、１８ｂ、１８ｃ、１８ｄの開／閉、遠制ロック／ロック解除、再閉路使用／不使用の監視の子局動作状態情報が伝えられる。
【００４２】
ＣＴＣ方式の通信管理ユニット３ｃには、各子局の開閉器１８ａ、１８ｂ、１８ｃ、１８ｄの開／閉、遠制ロック／ロック解除および他に計測、遠隔設定等の監視の子局動作状態情報が伝えられる。
【００４３】
次に、図４を参照して、子局動作状態情報がどの様に新遠制親局１０の操作卓１に一元化処理されるかについて説明する。
【００４４】
まず、遠制群は上述のように通信ケーブル方式遠制群４、ＧＷ／ＴＰＣ方式遠制群５、ＣＴＣ方式遠制群６がある。
【００４５】
通信ケーブル方式の遠制群４では子局動作状態情報は基本型のみに限定され、監視項目は開閉器入／切、遠制ロック／ロック解除であり、制御項目は遠制入／切、遠制ロック／ロック解除となっている。通信ケーブル方式用の通信管理ユニット３ａからは開閉器入／切、遠制ロック／ロック解除の子局動作状態情報が得られると、通信ケーブル方式用の通信管理ユニット３ａに設けられた情報設定条件テーブル４ｘに従って並べ替えが行われ、システム管理ユニット２の通信ケーブル方式に対応する包括情報管理テーブル２０ａに開閉器１４ａ、１４ｂ、１４ｃ、１４ｄの開／閉を０ワードのビット０とビット１に書き込む。
【００４６】
ＧＷ／ＴＰＣ方式の遠制群５では子局動作状態情報は中機能型であり、監視項目は開閉器入／切、遠制ロック／ロック解除、再閉路使用／不使用であり、制御項目は遠制入／切、遠制ロック／ロック解除、再閉路使用／不使用となっている。ＧＷ／ＴＰＣ方式用の通信管理ユニット３ｂからは開閉器入／切、遠制ロック／ロック解除、再閉路使用／不使用の子局動作状態情報が得られると、ＧＷ／ＴＰＣ方式用の通信管理ユニット３ｂに設けられた情報設定条件テーブル５ｘに従って並べ替えが行われ、システム管理ユニット２のＧＷ／ＴＰＣ方式に対応する包括情報管理テーブル２０ｂに開閉器１８ａ、１８ｂ、１８ｃ、１８ｄの開／閉を０ワードのビット０とビット１に書き込む。他の子局動作状態情報は包括情報管理テーブル２０ｂの他のワードの所定のビットに書き込まれる。
【００４７】
ＣＴＣ方式の遠制群では子局動作状態情報は多機能型であり、監視項目は開閉器入／切、遠制ロック／ロック解除、再閉路使用／不使用であり、制御項目は遠制入／切、遠制ロック／ロック解除、再閉路使用／不使用となっている。ＣＴＣ方式用の通信管理ユニット３ｃからは開閉器入／切、遠制ロック／ロック解除、再閉路使用／不使用の子局動作状態情報が得られると、ＣＴＣ方式用の通信管理ユニット３ｃに設けられた情報設定条件テーブル６ｘに従って並べ替えが行われ、システム管理ユニット２のＣＴＣ方式に対応する包括情報管理テーブル２０ｃに開閉器１８ａ、１８ｂ、１８ｃ、１８ｄの開／閉を０ワードのビット０とビット１に書き込む。他の子局動作状態情報は包括情報管理テーブル２０ｃの他のワードの所定のビットに書き込まれる。
【００４８】
図５に示すように、各通信方式に対応する包括情報管理テーブル２０ａ、２０ｂ、２０ｃの０ワードは本発明では各通信方式の遠制群の開閉器と子局の状態を格納するデータベースである。ビット０に開閉器入、ビット１に開閉器切、ビット３に遠制切／入、ビット４には遠制ロック／ロック解除が記憶され、すべての通信方式の開閉器の入／切を包括情報管理テーブル２０ａ、２０ｂ、２０ｃで共通化することで操作卓１に各通信方式の各子局の開閉器の入／切を一括に表示できる。これにより操作卓１の同一画面からすべての通信方式の子局に対応する開閉器の状態の監視が行える。
【００４９】
このような各通信方式の子局動作状態情報を情報設定条件テーブルで並べ替えることにより、システム管理ユニット２の包括情報管理テーブルに各方式に共通する子局運用基本情報である開閉器入、開閉器切、遠制入／切、遠制ロック／ロック解除を同じアドレスに並べることができ、特有の子局動作状態情報は包括情報管理テーブルの別のアドレス部分に書き込むことで、各通信方式の子局動作状態情報を漏れなく包括情報管理テーブルに書き込まれる。従って、各通信方式の子局運用基本情報以外の子局動作状態情報を操作卓１で監視するときは操作卓１に表示された各通信方式の子局をクリックして０ワード以外の包括情報管理テーブルの子局動作状態情報を見るようにする。これにより各通信方式の子局動作状態情報を操作卓１のディスプレイからすべて見ることが可能である。
【００５０】
更に、図１に示すように、通信管理ユニット３には将来採用される通信方式の機能拡張ユニット３ｄが設けられており、将来拡張される通信管理ユニットを追加するだけで操作卓からの監視が可能であり、あらゆる通信方式に対応可能である。
【００５１】
以上に各通信方式の監視を主に説明したが、図６を参照して制御の場合について説明する。
【００５２】
まず、（１）に示すように、操作卓のマンマシンから所望の子局に「０ワード３ビットを０にせよ（遠制を入れる）」命令を出す。この命令はシステム共通の命令である。
【００５３】
次に、（２）に示すようにその子局がどの通信管理ユニットに接続されているかを判断して上記したシステム共通の命令を送信する。この場合はＧＷ／ＴＰＣ方式の通信管理ユニットである。
【００５４】
更に、（３）に示すように、ＧＷ／ＴＰＣ方式の通信管理ユニットでは情報設定条件テーブルを用いてシステム共通の命令からＧＷ／ＴＰＣ方式の子局固有の命令に変換してその子局に送信する。
【００５５】
更に、（４）に示すように、選択されたＧＷ／ＴＰＣ方式の子局は状態コードの入ビットが０になり、ＧＷ／ＴＰＣ方式の子局は子局固有の状態コードで入になったことを返信してくる。
【００５６】
更に、（５）に示すように、ＧＷ／ＴＰＣ方式の通信管理ユニットはシステム共通のコードに変換して「０ワード３ビットが０になりました」と送信する。
【００５７】
最後に、（６）に示すように、システム管理ユニットには「０ワード３ビットが０になりました」システム共通の返信が来て、入制御が成功したことを付加してマンマシンに送信する。
【図面の簡単な説明】
【００５８】
【図１】本発明の配電遠方監視制御システムを説明するブロック図である。
【図２】本発明の配電遠方監視制御システムを通信ケーブル方式に適用した場合のブロック図である。
【図３】本発明の配電遠方監視制御システムをＧＷ／ＴＰＣ方式およびＣＴＣ方式に適用した場合のブロック図である。
【図４】本発明の配電遠方監視制御システムのシステム管理ユニットと通信管理ユニットの動作原理を説明するブロック図である。
【図５】本発明の配電遠方監視制御システムのシステム管理ユニットの包括情報管理テーブルを説明する図である。
【図６】本発明の配電遠方監視制御システムの命令の流れを説明するブロック図である。
【図７】従来および本発明の配電遠方監視制御方式を比較する図である。
【図８】従来の配電遠方監視制御システムを説明するブロック図である。
【符号の説明】
【００５９】
１                操作卓
２                システム管理ユニット
３                通信管理ユニット
４                通信ケーブル方式遠制群
５                ＧＷ／ＴＰＣ方式遠制群
６                ＣＴＣ方式遠制群
７                配電自動化システム
４ｘ、５ｘ、６ｘ  情報設定条件テーブル
４ａ、４ｂ、４ｃ、４ｄ    子局
１２              変電所
１３              配電線
１４ａ、１４ｂ、１４ｃ、１４ｄ    開閉器
１５ａ、１５ｂ、１５ｃ、１５ｄ    開閉器リレー
２０ａ、２０ｂ、２０ｃ    包括情報管理テーブル
【図１】
2006042540.tif 000003
【図２】
2006042540.tif 000004
【図３】
2006042540.tif 000005
【図４】
2006042540.tif 000006
【図５】
2006042540.tif 000007
【図６】
2006042540.tif 000008
【図７】
2006042540.tif 000009
【図８】
2006042540.tif 000010